(57)【要約】【課題】  電源投入後に発生する異常内容とともに、その日付、時間を記録、表示できるようにする。【解決手段】  ポンプ１８、流量検出器１９、逆止弁２０、圧力検出器２１、及びアキュムレータ２２が順次接続されて構成されるポンプユニット１１と、このポンプユニット１１の動作異常を検出する制御部２５と、この制御部２５がポンプユニット１１の動作異常を検出するのに基づいてその異常内容を記録する記録部２８と、この記録部２８に設けられ、異常発生時の日付け、及び時間を記録するカレンダー機能部２８ａ及び時計機能部２８ｂと、記録部２８によって記録された異常内容、さらにカレンダー機能部２８ａ及び時計機能部２８ｂによって記録された日付及び時間を表示する表示部２７とを具備する。【選択図】      図２
2009275367.tif 000002
【特許請求の範囲】
【請求項１】
ポンプ、流量検出器、逆止弁、圧力検出器、及びアキュムレータが順次接続されて構成されるポンプユニットと、
このポンプユニットの動作異常を検出する異常検出手段と、
この異常検出手段が前記ポンプユニットの動作異常を検出するのに基づいてその異常内容を記録する記録手段と、
この記録手段に設けられ、異常発生時の日付け、及び時間を記録するカレンダー機能部及び時計機能部と、
前記記録手段によって記録された異常内容、さらに前記カレンダー機能部及び時計機能部によって記録された前記日付け及び時間を表示する表示手段と
を具備することを特徴とする給水装置。
【請求項２】
前記カレンダー機能部及び時計機能部によって記録された異常発生時の日付け及び時間を停電時においても保持するバッテリーを内蔵したことを特徴とする請求項１記載の給水装置。
【発明の詳細な説明】
【技術分野】
【０００１】
本発明は、例えば、ビルディングやマンション等の加圧給水に適用される給水装置に関する。
【背景技術】
【０００２】
この種の給水装置においては、故障等の異常発生により動作が停止すると、断水を伴うため、ビルディングやマンション等の住民に多大な損害を与える。このため、作業員は異常発生の連絡を受けると、至急現場に行って状況を確認し、補修作業を行なうようになっている。
【０００３】
ところで、給水装置には制御盤が実装され、この制御盤には異常内容とともに電源投入時からの通電日数が記録されようになっている。この記録された異常内容や通電日数は表示部に表示され、作業員はこの表示部に表示された内容を見て、故障原因の調査を行なうとともに、今後の対策に利用して保守点検の作業性の向上を図るようにしている（例えば、特許文献１参照。）。
【特許文献１】特許第３５９５０１０号明細書
【発明の開示】
【発明が解決しようとする課題】
【０００４】
しかしながら、従来においては、電源投入後、動作異常が発生するまでの通電日数を記録するため、何日目に発生した異常内容であるのかは確認できるが、その動作異常が何年、何月、何日、何時に発生したのかを確認することができなかった。特に、稼動開始後に電源断の期間があると、日数の情報だけでは、動作異常の発生日時の特定は難しいという問題があった。
【０００５】
本発明は上記事情に着目してなされたもので、その目的とするところは、電源投入後に発生する異常内容とともに、その日付、時間を記録、表示できるようにした給水装置を提供することにある。
【課題を解決するための手段】
【０００６】
上記課題を解決するため、請求項１記載のものは、ポンプ、流量検出器、逆止弁、圧力検出器、及びアキュムレータが順次接続されて構成されるポンプユニットと、このポンプユニットの動作異常を検出する異常検出手段と、この異常検出手段が前記ポンプユニットの動作異常を検出するのに基づいてその異常内容を記録する記録手段と、この記録手段に設けられ、異常発生時の日付け、及び時間を記録するカレンダー機能部及び時計機能部と、前記記録手段によって記録された異常内容、さらに前記カレンダー機能部及び時計機能部によって記録された前記日付け及び時間を表示する表示手段とを具備することを特徴とする。
【発明の効果】
【０００７】
本発明によれば、電源投入後に発生する異常内容とともに、その日付、時間を記録、表示できるようにした給水装置を提供することができる。
【発明を実施するための最良の形態】
【０００８】
以下、本発明の実施の形態を図面を参照して詳細に説明する。  
図１は本発明の一実施の形態に係る給水装置１を示す構成図で、図２は同給水装置１に用いられるポンプ装置１０を示すものである。なお、図１、２中Ｅは地面、Ｆは水の流れ方向、Ｇは建造物、Ｉは受水槽、Ｓは信号線、Ｔは給水口をそれぞれ示している。
【０００９】
図１、２に示すように、給水装置１は、例えば受水槽Ｉに接続された接続管５と、接続管５に接続されたポンプ装置１０と、ポンプ装置１０の下流に給水配管６を介して設けられ、建造物Ｇに配設された蛇口等の各給水口Ｔとを備えている。
【００１０】
ポンプ装置１０は、接続管５に接続されたポンプユニット１１と、このポンプユニット１１に信号線Ｓにより接続された制御盤１２とを備えている。このポンプ装置１０は、建造物Ｇの地下に設けられたポンプ室１３に設けられている。
【００１１】
ポンプユニット１１は、その上流側が受水槽Ｉに接続管５を介して接続され、下流側に給水配管６を介して接続されている。また、ポンプユニット１１は、上流側から、モータ１６が回転軸１７を介して接続されたポンプ１８、流量検出器１９、逆止弁２０、圧力検出器２１、及び、アキュムレータ２２が順次接続されて構成されている。
【００１２】
上記したモータ１６、流量検出器１９及び圧力検出器２１は、信号線Ｓを介して制御盤１２に接続されており、流量検出器１９及び圧力検出器２１の検出結果に基づいてポンプユニット１１の動作が制御されるようになっている。
【００１３】
制御盤１２は、制御部２５を備え、この制御部２５には制御回路を介してインバータ２６、表示手段としての表示部２７、記録手段としての記録部２８、入力部２９がそれぞれ接続され、ポンプ１８のモータ１６が制御されるようになっている。
【００１４】
また、制御部２５は、ポンプユニット１１の動作異常を検出することができるようになっており、異常検出手段としても用いられる。
【００１５】
記録部２８は、ポンプユニット１１の動作異常が発生する毎にその内容を記録するもので、この記録部２８には、異常発生時の日付け（何年、何月、何日）を記録するカレンダー機能部２８ａ、及び時間（何時、何分）を記録する時計機能部２８ｂが設けられている。
【００１６】
表示部２７は、記録部２８に記録されたポンプユニット１１の動作異常の内容、さらに、その発生時の日付（何年、何月、何日、何時、何分）を表示するものである。
【００１７】
入力部２９には、切替スイッチ２９ａが設けられ、この切替スイッチ２９ａの切替操作により以前に起こった動作異常の内容が新しいものから順次、図３（ａ）〜（ｄ）に示すように表示部２７に２秒間、表示されるようになっている。
【００１８】
また、上記した制御盤１２にはバッテリー３１が内蔵され、記録部２８に記録された記録データを停電時においても継続して保持できるようになっている。
【００１９】
次に、上記したように構成された給水装置１の給水動作について説明する。
【００２０】
まず、給水装置１の主電源がＯＮされると、モータ１６及び制御盤１２に電力が供給さ、制御部２５は、予め制御部２５に設定されたモータ１６の運転制御の情報をインバータ２６に指示する。インバータ２６は、この指示に基づいて、信号線Ｓによりモータ１６を運転（回転）させる。モータ１６が回転すると、回転軸１７を介してポンプ１８が回転（作動）する。このポンプ１８の回転により、接続管５の内部を流れる水がポンプ１８により増圧され、ポンプ１８の吐出口から吐出される。ポンプ１８から吐出された水は、流量検出器１９、逆止弁２０及び圧力検出器２１を介して建造物Ｇの各給水口Ｔに給水されるとともに、アキュムレータ２２に蓄圧されることとなる。
【００２１】
このとき流量検出器１９及び圧力検出器２１は、ポンプ１８からの吐出圧力（及び流量）を検出し、この検出結果（圧力及び流量）を信号線Ｓを介して制御部２５へ送信する。制御部２５は、信号線Ｓから受信した検出結果と、制御部２５に予め設定してある運転制御に対するポンプ１８の吐出圧力（吐出流量）の制御値（制御設定値）とを比較し、検出結果が制御値と近似するようにインバータ２６にモータ１６の制御指示を与えてポンプユニット１１を制御する。
【００２２】
ところで、上記した給水装置１の給水動作時において、ポンプユニット１１に動作異常が発生すると、制御部２５によってポンプユニット１１の動作異常が検出される。このように動作異常が検出されると、記録部２８にその異常内容が記録されるとともに、その発生日時、即ち、何年、何月、何日、何時、何分かが記録される。この記録された記録データは停電時においても制御盤１２に内蔵されたバッテリー３１によって継続して保存される。そして、この記録された異常内容（例えばポンプ１８の故障）、さらに、その発生日時が、何年、何月、何日、何時、何分であるのかが表示部２７に図３（ａ）に示すように表示される。このとき、入力部２９の切替スイッチ２９ａを操作すると、その操作毎に以前に起こった動作異常内容が新しいものから順次、２秒間、表示部２７に例えば図３（ｂ）、図３（ｃ）、図３（ｄ）に示すように表示される。図３（ｂ）は、流量検出器１９の故障、図３（ｃ）は、圧力検出器２１の故障、図３（ｄ）は、ポンプ１８の故障をそれぞれ示す。
【００２３】
上記したように、この実施の形態によれば、ポンプユニット１１に動作異常が発生した場合には、記録部２８にその異常内容を記録するとともに、その発生の日時が、何年、何月、何日、何時、何分であるかを記録し、この記録した記録データを表示部２７に表示するため、給水装置に与えられた負荷や状況を予測するのに非常に有効なデータとなる。
【００２４】
例えば、朝昼晩の食事の時間帯は、使用される水量が増えるため、給水装置の運転時間は延びて負荷が増える。また、深夜の就寝時の時間帯は、使用する水量が減少するため、給水装置の負荷は少なくなることを判断できる。
【００２５】
さらに、記録された異常発生の時間情報から同じ内容で頻発する不具合の調査をする際には、その時間に待機して異常の発生する瞬間をとらえることも可能である。
【００２６】
また、日付情報は、異常発生日が平日か休日かで給水装置の運転状況を判断したり、雷などの自然災害による停電の発生などがなかったかを確認するのに有効である。
【００２７】
なお、この発明は、上述した実施の形態そのままに限定されるものはなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００２８】
【図１】本発明の一実施の形態である給水装置を示す概略的構成図。
【図２】図１のポンプ装置を示す構成図。
【図３】図２の表示部に表示される表示データを示す図。
【符号の説明】
【００２９】
１１…ポンプユニット、１８…ポンプ、１９…流量検出器、２０…逆止弁
２１…圧力検出器、２２…アキュムレータ、２５…制御部（異常検出手段）、
２７…表示部（表示手段）、２８…記録部（記録手段）、２８ａ…カレンダー機能部
、２８ｂ…時計機能部、３１…バッテリー。
【図１】
2009275367.tif 000003
【図２】
2009275367.tif 000004
【図３】
2009275367.tif 000005